(57)【要約】【課題】移動体端末にメータが登録されたメータシステムにおいて、移動体端末の機種変更時等において、セキュリティを保ちつつ、簡易に、登録変更を実行する。【解決手段】サーバは、要求された登録変更を許可するとき、メータおよび現端末の固有情報を含む変更許可情報Ａを新端末に送信する（Ｓ２４）。変更許可情報Ａを受信した新端末は、メータ、現端末および新端末の固有情報を含む変更許可情報Ｂをメータに送信する（Ｓ２６）。変更許可情報Ｂを受信したメータが、許可端末を新端末に変更し（Ｓ２９）、変更許可情報Ａを受信した新端末が、メータの固有情報を記憶する（Ｓ２Ｄ）。【選択図】図３
2014078902.tif 000002
【特許請求の範囲】
【請求項１】
無線通信機能を有し、ユーティリティの使用量を計るメータと、移動体端末と、サーバとを備えたメータシステムであって、
現移動体端末から新移動体端末への登録変更を行う場合において、
前記新移動体端末が、前記サーバに、当該新移動体端末の固有情報を含む、登録変更要求を送信し、
前記登録変更要求を受けた前記サーバが、前記新移動体端末への登録変更を許可するか否かを判断し、
前記サーバが、登録変更を許可すると判断したとき、前記新移動体端末に、メータ固有情報と、前記現移動体端末の固有情報とを含む、第１変更許可情報を送信し、
前記第１変更許可情報を受信した前記新移動体端末が、前記メータに、メータ固有情報と、前記現移動体端末の固有情報と、当該新移動体端末の固有情報とを含む、第２変更許可情報を送信し、
前記第２変更許可情報を受信した前記メータが、許可端末として登録している前記現移動体端末の固有情報を、前記新移動体端末の固有情報に変更し、
前記第１変更許可情報を受信した新移動体端末が、前記メータ固有情報を記憶する
ことを特徴とするメータシステム。
【請求項２】
請求項１において、
前記メータは、許可端末として登録している前記現移動体端末の固有情報を前記新移動体端末の固有情報に変更した後に、前記新移動体端末に、登録変更完了を送信し、
前記新移動体端末は、前記メータから登録変更完了を受信した後に、前記メータ固有情報を記憶し、前記サーバに、登録変更完了を送信し、
前記サーバは、前記新移動体端末から登録変更完了を受信した後に、登録されていた、前記メータ固有情報と前記現移動体端末の固有情報との組み合わせを、前記メータ固有情報と前記新移動体端末の固有情報との組み合わせに変更する
ことを特徴とするメータシステム。
【請求項３】
請求項１において、
前記メータは、許可端末として登録している前記現移動体端末の固有情報を前記新移動体端末の固有情報に変更する前に、前記新移動体端末に、登録変更ＯＫを送信し、
前記新移動体端末は、前記メータから登録変更ＯＫを受信した後に、前記サーバに、登録変更ＯＫを送信し、
前記サーバは、前記新移動体端末から登録変更ＯＫを受信した後に、登録されていた、前記メータ固有情報と前記現移動体端末の固有情報との組み合わせを、前記メータ固有情報と前記新移動体端末の固有情報との組み合わせに変更し、前記新移動体端末および前記メータに、登録変更を指示し、
前記新移動体端末は、前記サーバから登録変更を指示された後に、前記メータ固有情報を記憶し、
前記メータは、前記サーバから登録変更を指示された後に、許可端末として登録している前記現移動体端末の固有情報を前記新移動体端末の固有情報に変更する
ことを特徴とするメータシステム。
【請求項４】
請求項１において、
前記第１変更許可情報を送信したサーバは、登録されていた、前記メータ固有情報と前記現移動体端末の固有情報との組み合わせを、前記メータ固有情報と前記新移動体端末の固有情報との組み合わせに変更する
ことを特徴とするメータシステム。
【請求項５】
無線通信機能を有し、ユーティリティの使用量を計るメータと、移動体端末と、サーバとを備えたメータシステムであって、
現移動体端末から新移動体端末への登録変更を行う場合において、
前記新移動体端末が、前記サーバに、当該新移動体端末の固有情報を含む、登録変更要求を送信し、
前記登録変更要求を受けた前記サーバが、前記新移動体端末への登録変更を許可するか否かを判断し、
前記サーバが、登録変更を許可すると判断したとき、前記新移動体端末に、メータ固有情報を含む、第１変更許可情報を送信するとともに、前記メータに、前記現移動体端末の固有情報と、前記新移動体端末の固有情報とを含む、第２変更許可情報を送信し、
前記第１変更許可情報を受信した新移動体端末が、前記メータ固有情報を記憶し、
前記第２変更許可情報を受信した前記メータが、許可端末として登録している前記現移動体端末の固有情報を、前記新移動体端末の固有情報に変更する
ことを特徴とするメータシステム。
【請求項６】
請求項５において、
前記新移動体端末は、前記メータ固有情報を記憶した後に、前記サーバに、登録変更完了を送信し、
前記メータは、許可端末として登録している前記現移動体端末の固有情報を前記新移動体端末の固有情報に変更した後に、前記サーバに、登録変更完了を送信し、
前記サーバは、前記新移動体端末および前記メータから登録変更完了を受信した後に、登録されていた、前記メータ固有情報と前記現移動体端末の固有情報との組み合わせを、前記メータ固有情報と前記新移動体端末の固有情報との組み合わせに変更する
ことを特徴とするメータシステム。
【請求項７】
請求項５において、
前記第１および第２変更許可情報を送信したサーバは、登録されていた、前記メータ固有情報と前記現移動体端末の固有情報との組み合わせを、前記メータ固有情報と前記新移動体端末の固有情報との組み合わせに変更する
ことを特徴とするメータシステム。
【請求項８】
無線通信機能を有し、ユーティリティの使用量を計るメータと、移動体端末と、サーバとを備えたメータシステムであって、
現移動体端末から新移動体端末への登録変更を行う場合において、
前記新移動体端末が、前記メータに、当該新移動体端末の固有情報を含む、第１登録変更要求を送信し、
前記第１登録変更要求を受けた前記メータが、前記サーバに、メータ固有情報と、前記新移動体端末の固有情報とを含む、第２登録変更要求を送信し、
前記第２登録変更要求を受けた前記サーバが、新移動体端末への登録変更を許可するか否かを判断し、
前記サーバが、登録変更を許可すると判断したとき、前記メータに、前記現移動体端末の固有情報を含む、第１変更許可情報を送信し、
前記第１変更許可情報を受信した前記メータが、前記新移動体端末に、前記メータ固有情報を含む、第２変更許可情報を送信し、
前記第１変更許可情報を受信した前記メータが、許可端末として登録している前記現移動体端末の固有情報を、前記新移動体端末の固有情報に変更し、
前記第２変更許可情報を受信した前記新移動体端末が、前記メータ固有情報を記憶する
ことを特徴とするメータシステム。
【請求項９】
請求項８において、
前記第１変更許可情報を送信したサーバは、登録されていた、前記メータ固有情報と前記現移動体端末の固有情報との組み合わせを、前記メータ固有情報と前記新移動体端末の固有情報との組み合わせに変更する
ことを特徴とするメータシステム。
【請求項１０】
請求項８において、
前記新移動体端末が、前記メータ固有情報を記憶した後に、前記メータに登録変更完了を送信し、
前記メータが、前記新移動体端末から登録変更完了を受信した後に、許可端末として登録している前記現移動体端末の固有情報を、前記新移動体端末の固有情報に変更し、前記サーバに登録変更完了を送信し、
前記サーバは、前記メータから登録変更完了を受信した後に、登録されていた、前記メータ固有情報と前記現移動体端末の固有情報との組み合わせを、前記メータ固有情報と前記新移動体端末の固有情報との組み合わせに変更する
ことを特徴とするメータシステム。
【請求項１１】
無線通信機能を有し、ユーティリティの使用量を計るメータと、移動体端末と、サーバとを備えたメータシステムであって、
現メータから新メータへの登録変更を行う場合において、
前記移動体端末が、前記サーバに、当該移動体端末の固有情報を含む、登録変更要求を送信し、
前記登録変更要求を受けた前記サーバが、前記新メータへの登録変更を許可するか否かを判断し、
前記サーバが、登録変更を許可すると判断したとき、前記移動体端末に、前記現メータの固有情報と、前記新メータの固有情報とを含む、第１変更許可情報を送信し、
前記第１変更許可情報を受信した前記移動体端末が、前記新メータに、当該新メータの固有情報と、当該移動体端末の固有情報とを含む、第２変更許可情報を送信し、
前記第２変更許可情報を受信した前記新メータが、許可端末として、前記移動体端末の固有情報を登録し、
前記第１変更許可情報を受信した移動体端末が、登録されていた前記現メータの固有情報を、前記新メータの固有情報に変更する
ことを特徴とするメータシステム。
【請求項１２】
請求項１１において、
前記新メータは、許可端末として前記移動体端末の固有情報を登録した後に、前記移動体端末に登録変更完了を送信し、
前記移動体端末は、前記メータから登録変更完了を受信した後に、登録されていた前記現メータの固有情報を前記新メータの固有情報に変更し、前記サーバに、登録変更完了を送信し、
前記サーバは、前記移動体端末から登録変更完了を受信した後に、登録されていた、前記現メータの固有情報と前記移動体端末の固有情報との組み合わせを、前記新メータの固有情報と前記移動体端末の固有情報との組み合わせに変更する
ことを特徴とするメータシステム。
【請求項１３】
請求項１１において、
前記新メータは、許可端末として前記移動体端末の固有情報を登録する前に、前記移動体端末に登録変更ＯＫを送信し、
前記移動体端末は、前記新メータから登録変更ＯＫを受信した後に、前記サーバに、登録変更ＯＫを送信し、
前記サーバは、前記移動体端末から登録変更ＯＫを受信した後に、登録されていた、前記現メータの固有情報と前記移動体端末の固有情報との組み合わせを、前記新メータの固有情報と前記移動体端末の固有情報との組み合わせに変更し、前記移動体端末および前記新メータに、登録変更を指示し、
前記移動体端末は、前記サーバから登録変更を指示された後に、登録されていた前記現メータの固有情報を前記新メータの固有情報に変更し、
前記新メータは、前記サーバから登録変更を指示された後に、許可端末として前記移動体端末の固有情報を登録する
ことを特徴とするメータシステム。
【請求項１４】
請求項１１において、
前記第１変更許可情報を送信したサーバは、登録されていた、前記現メータの固有情報と前記移動体端末の固有情報との組み合わせを、前記新メータの固有情報と前記移動体端末の固有情報との組み合わせに変更する
ことを特徴とするメータシステム。
【請求項１５】
無線通信機能を有し、ユーティリティの使用量を計るメータと、移動体端末と、サーバとを備えたメータシステムであって、
現メータから新メータへの登録変更を行う場合において、
前記移動体端末が、前記サーバに、当該移動体端末の固有情報を含む、登録変更要求を送信し、
前記登録変更要求を受けた前記サーバが、前記新メータへの登録変更を許可するか否かを判断し、
前記サーバが、登録変更を許可すると判断したとき、前記移動体端末に、前記現メータの固有情報と前記新メータの固有情報とを含む、第１変更許可情報を送信するとともに、前記新メータに、前記移動体端末の固有情報を含む、第２変更許可情報を送信し、
前記第１変更許可情報を受信した移動体端末が、登録されていた前記現メータの固有情報を前記新メータの固有情報に変更し、
前記第２変更許可情報を受信した前記新メータが、許可端末として前記移動体端末の固有情報を登録する
ことを特徴とするメータシステム。
【請求項１６】
請求項１５において、
前記移動体端末は、登録されていた前記現メータの固有情報を前記新メータの固有情報に変更した後に、前記サーバに、登録変更完了を送信し、
前記新メータは、許可端末として前記移動体端末の固有情報を登録した後に、前記サーバに、登録変更完了を送信し、
前記サーバは、前記移動体端末および前記新メータから登録変更完了を受信した後に、登録されていた、前記現メータの固有情報と前記移動体端末の固有情報との組み合わせを、前記新メータの固有情報と前記移動体端末の固有情報との組み合わせに変更する
ことを特徴とするメータシステム。
【請求項１７】
請求項１５において、
前記第１および第２変更許可情報を送信したサーバは、登録されていた、前記現メータの固有情報と前記移動体端末の固有情報との組み合わせを、前記新メータの固有情報と前記移動体端末の固有情報との組み合わせに変更する
ことを特徴とするメータシステム。
【請求項１８】
無線通信機能を有し、ユーティリティの使用量を計るメータと、移動体端末と、サーバとを備えたメータシステムであって、
現メータから新メータへの登録変更を行う場合において、
前記移動体端末が、前記新メータに、当該移動体端末の固有情報を含む、第１登録変更要求を送信し、
前記第１登録変更要求を受けた前記新メータが、前記サーバに、当該新メータの固有情報と、前記移動体端末の固有情報とを含む、第２登録変更要求を送信し、
前記第２登録変更要求を受けた前記サーバが、新メータへの登録変更を許可するか否かを判断し、
前記サーバが、登録変更を許可すると判断したとき、前記新メータに、前記現メータの固有情報と、前記移動体端末の固有情報とを含む、第１変更許可情報を送信し、
前記第１変更許可情報を受信した前記新メータが、前記移動体端末に、前記現メータの固有情報と、当該新メータの固有情報とを含む、第２変更許可情報を送信し、
前記第１変更許可情報を受信した前記新メータが、許可端末として前記移動体端末の固有情報を登録し、
前記第２変更許可情報を受信した前記移動体端末が、登録されていた前記現メータの固有情報を前記新メータの固有情報に変更する
ことを特徴とするメータシステム。
【請求項１９】
請求項１８において、
前記第１変更許可情報を送信したサーバは、登録されていた、前記現メータの固有情報と前記移動体端末の固有情報との組み合わせを、前記新メータの固有情報と前記移動体端末の固有情報との組み合わせに変更する
ことを特徴とするメータシステム。
【請求項２０】
請求項１８において、
前記移動体端末が、登録されていた前記現メータの固有情報を前記新メータの固有情報に変更した後に、前記新メータに登録変更完了を送信し、
前記新メータが、前記移動体端末から登録変更完了を受信した後に、許可端末として前記移動体端末の固有情報を登録し、前記サーバに登録変更完了を送信し、
前記サーバは、前記新メータから登録変更完了を受信した後に、登録されていた、前記現メータの固有情報と前記移動体端末の固有情報との組み合わせを、前記新メータの固有情報と前記移動体端末の固有情報との組み合わせに変更する
ことを特徴とするメータシステム。
【発明の詳細な説明】
【技術分野】
【０００１】
本発明は、無線通信機能を有し、ユーティリティの使用量を計るメータに関するものである。
【背景技術】
【０００２】
特許文献１では、監視対象設備を保守、修復、又は再稼働させることができる遠隔保守を行うことができる遠隔保守管理システムが開示されている。
【０００３】
特許文献２では、使用されている流量計測メータの種類を自動判別し、使用されている流量計測メータの種類に対応した機能の設定、確認及び遮断弁の制御が可能なメータ用設定器が開示されている。
【先行技術文献】
【特許文献】
【０００４】
【特許文献１】特開２００３−２３６８１号公報
【特許文献２】特開平１１−１０８７２８号公報
【発明の概要】
【発明が解決しようとする課題】
【０００５】
従来では、ユーザは、自宅に設置されたメータから使用量等のデータを入手することができず、例えば、使用明細によって月毎の使用量を把握できるのみであった。ここで、メータが無線通信機能を有すると、ユーザは、メータと通信可能な移動体端末を用いて、使用量等のデータを入手することができる。しかしながら、この場合には、セキュリティの問題が生じる。
【０００６】
また、メータを登録しているユーザが、自分の移動体端末を機種変更する場合には、これに伴う登録変更が必要となる。このような場合には、セキュリティを損なうことなく、かつ、簡易に、登録変更を実行できることが好ましい。また、メータを新しい機種に交換する場合にも、同様に、セキュリティを損なうことなく、かつ、簡易に、登録変更を実行できることが好ましい。
【０００７】
本発明では、ユーザの移動体端末にメータが登録されているメータシステムにおいて、移動体端末の機種変更やメータの交換のときに、セキュリティを保ちつつ、簡易に、登録変更を実行可能にすることを目的とする。
【課題を解決するための手段】
【０００８】
本発明の一態様では、無線通信機能を有し、ユーティリティの使用量を計るメータと、移動体端末と、サーバとを備えたメータシステムは、現移動体端末から新移動体端末への登録変更を行う場合において、前記新移動体端末が、前記サーバに、当該新移動体端末の固有情報を含む登録変更要求を送信し、前記登録変更要求を受けた前記サーバが、前記新移動体端末への登録変更を許可するか否かを判断し、前記サーバが、登録変更を許可すると判断したとき、前記新移動体端末に、メータ固有情報と、前記現移動体端末の固有情報とを含む、第１変更許可情報を送信し、前記第１変更許可情報を受信した前記新移動体端末が、前記メータに、メータ固有情報と、前記現移動体端末の固有情報と、当該新移動体端末の固有情報とを含む、第２変更許可情報を送信し、前記第２変更許可情報を受信した前記メータが、許可端末として登録している前記現移動体端末の固有情報を、前記新移動体端末の固有情報に変更し、前記第１変更許可情報を受信した新移動体端末が、前記メータ固有情報を記憶する。
【０００９】
本発明の他の態様では、無線通信機能を有し、ユーティリティの使用量を計るメータと、移動体端末と、サーバとを備えたメータシステムは、現移動体端末から新移動体端末への登録変更を行う場合において、前記新移動体端末が、前記サーバに、当該新移動体端末の固有情報を含む、登録変更要求を送信し、前記登録変更要求を受けた前記サーバが、前記新移動体端末への登録変更を許可するか否かを判断し、前記サーバが、登録変更を許可すると判断したとき、前記新移動体端末に、メータ固有情報を含む、第１変更許可情報を送信するとともに、前記メータに、前記現移動体端末の固有情報と、前記新移動体端末の固有情報とを含む、第２変更許可情報を送信し、前記第１変更許可情報を受信した新移動体端末が、前記メータ固有情報を記憶し、前記第２変更許可情報を受信した前記メータが、許可端末として登録している前記現移動体端末の固有情報を、前記新移動体端末の固有情報に変更する。
【００１０】
本発明の他の態様では、無線通信機能を有し、ユーティリティの使用量を計るメータと、移動体端末と、サーバとを備えたメータシステムは、現移動体端末から新移動体端末への登録変更を行う場合において、前記新移動体端末が、前記メータに、当該新移動体端末の固有情報を含む、第１登録変更要求を送信し、前記第１登録変更要求を受けた前記メータが、前記サーバに、メータ固有情報と、前記新移動体端末の固有情報とを含む、第２登録変更要求を送信し、前記第２登録変更要求を受けた前記サーバが、新移動体端末への登録変更を許可するか否かを判断し、前記サーバが、登録変更を許可すると判断したとき、前記メータに、前記現移動体端末の固有情報を含む、第１変更許可情報を送信し、前記第１変更許可情報を受信した前記メータが、前記新移動体端末に、前記メータ固有情報を含む、第２変更許可情報を送信し、前記第１変更許可情報を受信した前記メータが、許可端末として登録している前記現移動体端末の固有情報を、前記新移動体端末の固有情報に変更し、前記第２変更許可情報を受信した前記新移動体端末が、前記メータ固有情報を記憶する。
【００１１】
本発明の他の態様では、無線通信機能を有し、ユーティリティの使用量を計るメータと、移動体端末と、サーバとを備えたメータシステムは、現メータから新メータへの登録変更を行う場合において、前記移動体端末が、前記サーバに、当該移動体端末の固有情報を含む、登録変更要求を送信し、前記登録変更要求を受けた前記サーバが、前記新メータへの登録変更を許可するか否かを判断し、前記サーバが、登録変更を許可すると判断したとき、前記移動体端末に、前記現メータの固有情報と、前記新メータの固有情報とを含む、第１変更許可情報を送信し、前記第１変更許可情報を受信した前記移動体端末が、前記新メータに、当該新メータの固有情報と、当該移動体端末の固有情報とを含む、第２変更許可情報を送信し、前記第２変更許可情報を受信した前記新メータが、許可端末として、前記移動体端末の固有情報を登録し、前記第１変更許可情報を受信した移動体端末が、登録されていた前記現メータの固有情報を、前記新メータの固有情報に変更する。
【００１２】
本発明の他の態様では、無線通信機能を有し、ユーティリティの使用量を計るメータと、移動体端末と、サーバとを備えたメータシステムは、現メータから新メータへの登録変更を行う場合において、前記移動体端末が、前記サーバに、当該移動体端末の固有情報を含む、登録変更要求を送信し、前記登録変更要求を受けた前記サーバが、前記新メータへの登録変更を許可するか否かを判断し、前記サーバが、登録変更を許可すると判断したとき、前記移動体端末に、前記現メータの固有情報と前記新メータの固有情報とを含む、第１変更許可情報を送信するとともに、前記新メータに、前記移動体端末の固有情報を含む、第２変更許可情報を送信し、前記第１変更許可情報を受信した移動体端末が、登録されていた前記現メータの固有情報を前記新メータの固有情報に変更し、前記第２変更許可情報を受信した前記新メータが、許可端末として前記移動体端末の固有情報を登録する。
【００１３】
本発明の他の態様では、無線通信機能を有し、ユーティリティの使用量を計るメータと、移動体端末と、サーバとを備えたメータシステムは、現メータから新メータへの登録変更を行う場合において、前記移動体端末が、前記新メータに、当該移動体端末の固有情報を含む、第１登録変更要求を送信し、前記第１登録変更要求を受けた前記新メータが、前記サーバに、当該新メータの固有情報と、前記移動体端末の固有情報とを含む、第２登録変更要求を送信し、前記第２登録変更要求を受けた前記サーバが、新メータへの登録変更を許可するか否かを判断し、前記サーバが、登録変更を許可すると判断したとき、前記新メータに、前記現メータの固有情報と、前記移動体端末の固有情報とを含む、第１変更許可情報を送信し、前記第１変更許可情報を受信した前記新メータが、前記移動体端末に、前記現メータの固有情報と、当該新メータの固有情報とを含む、第２変更許可情報を送信し、前記第１変更許可情報を受信した前記新メータが、許可端末として前記移動体端末の固有情報を登録し、前記第２変更許可情報を受信した前記移動体端末が、登録されていた前記現メータの固有情報を前記新メータの固有情報に変更する。
【発明の効果】
【００１４】
本発明によると、移動体端末の機種変更またはメータの交換を行う場合に、セキュリティを損なうことなく、かつ、簡易に、登録変更を実行することが可能となる。
【図面の簡単な説明】
【００１５】
【図１】実施形態に係るメータシステムの構成図である。
【図２】メータの動作例を示すフローチャートである。
【図３】移動体端末の機種変更時における登録変更の動作例を示すフローチャートである。
【図４】図３の動作例の変形例を示すフローチャートである。
【図５】移動体端末の機種変更時における登録変更の他の動作例を示すフローチャートである。
【図６】図５の動作例の変形例を示すフローチャートである。
【図７】移動体端末の機種変更時における登録変更の他の動作例を示すフローチャートである。
【図８】図７の動作例の変形例を示すフローチャートである。
【図９】メータの交換時における登録変更の動作例を示すフローチャートである。
【図１０】図９の動作例の変形例を示すフローチャートである。
【図１１】メータの交換時における登録変更の他の動作例を示すフローチャートである。
【図１２】メータの交換時における登録変更の他の動作例を示すフローチャートである。
【発明を実施するための形態】
【００１６】
以下、本発明の実施形態を図面に基づいて詳細に説明する。
【００１７】
図１は実施形態に係るメータシステムの構成図である。図１のメータシステムは、ガスの使用量を計るガスメータ１０と、ガスメータ１０との通信が可能な移動体端末３０と、ガスメータ１０と移動体端末３０とを管理するサーバ５０とを備えている。移動体端末３０は、例えば、スマートホン、タブレット、あるいは、宅内コントローラ等である。
【００１８】
ガスメータ１０は、登録部１１と、サーバ５０と通信を行う外部通信部１２と、情報判定部１３と、移動体端末３０と通信を行う無線通信部１４とを備えている。登録部１１には、通信を許可する移動体端末である許可端末を特定する認証許可情報が登録される。この認証許可情報は、例えば後述する初期登録によって設定される。情報判定部１３は、無線通信部１４が移動体端末３０から情報を受信したとき、この受信した情報から、当該移動体端末３０が登録部１１に登録された許可端末であるか否かを判定する。また、ガスメータ１０は、演算処理部１５と、表示部１６と、宅内通信部１７と、ガス供給管における流量計測部１９と、ガス供給を遮断するための遮断部１８とを備えている。さらに、各部を制御する制御部２０を備えている。
【００１９】
移動体端末３０は、登録部３１と、サーバ５０と通信を行う外部通信部３２と、情報判定部３３と、ガスメータ１０と通信を行う無線通信部３４とを備えている。登録部３１には、通信可能であるメータの固有情報が登録される。このメータ固有情報は、後述する初期登録によって得ることができる。情報判定部３３は、登録部３１に登録されたメータとの通信を許可する一方、登録されていないメータとの通信を許可しない。また、移動体端末３０は、表示部３５と、ユーザの操作を受けるための入力部３６とを備えている。さらに、各部を制御する制御部３７を備えている。
【００２０】
なお、ガスメータ１０の無線通信部１４と移動体端末３０の無線通信部３４とは、例えば、ＮＦＣ(Near Field Communication）で無線通信を行うものとする。ＮＦＣを利用すると、移動体端末３０をガスメータ１０に直接タッチしなければならないため、セキュリティがより一層向上する。なお、その他に例えば、ＷｉＦｉやブルートゥース等、どのような無線技術を用いてもかまわない。
【００２１】
また、設置された各メータが、例えば宅内表示盤のような管理端末によって集中管理されている構成の場合には、この管理端末と移動体端末３０とで無線通信を行うようにしてもよい。例えばＮＦＣを利用する場合には、移動体端末３０を管理端末に直接タッチすればよい。この場合、各メータと移動体端末３０との間のデータ伝送は、管理端末を経由して行われる。
【００２２】
また、移動体端末３０に登録されるメータ固有情報は、例えば、シリアルナンバー、設置家庭の識別キー等を含んでいるものとする。また、ガスメータ１０に登録される認証許可情報は、許可端末の固有情報、例えばシリアルナンバー等を含んでいるものとする。あるいは、ガスメータ１０のメータ固有情報と許可端末固有情報との組み合わせを含むものであってもよい。
【００２３】
本実施形態におけるガスメータ１０は、登録部１１に登録された許可端末からしか、アクセスができないように構成されている。また、登録部１１において、各許可端末について、アクセスレベルが特定されている。ここでいうアクセスレベルとは、読み出し、更新、削除を許可するデータの範囲および種類を限定するレベルのことである。２段階以上のアクセスレベルが準備されており、各許可端末について、いずれかのアクセスレベルが特定されている。
【００２４】
図２はガスメータ１０の動作例を示すフローチャートである。図２に示すように、ガスメータ１０において、無線通信部１４が移動体端末３０から情報を受信すると（Ｓ１１）、情報判定部１３は、登録部１１に登録された情報を参照して、この移動体端末３０が通信を許可された許可端末であるか否かを判定する（Ｓ１２）。許可端末であるときは、通信が許可され（Ｓ１３）、許可端末でないときは、通信は許可されない（Ｓ１４）。
【００２５】
通信が許可された場合において、無線通信部１４が移動体端末３０からデータＸ１の送信要求を受信すると（Ｓ１５）、情報判定部１３は、登録部１１に登録された当該許可端末のアクセスレベルを参照して、データＸ１の送信が許可できるか否かを判定する（Ｓ１６）。データＸ１の送信がアクセスレベルの範囲内であるときは、データＸ１は移動体端末３０に送信される（Ｓ１７）。そうでないときは、「データＸ１は送信できない」旨の情報が移動体端末３０に送信される（Ｓ１８）。Ｓ１５〜Ｓ１９の動作が、通信が終了するまで繰り返し行われる（Ｓ１９）。
【００２６】
なお、図２では、移動体端末からデータの送信が要求される場合を例にとって説明したが、データの更新や削除などのその他のアクセスについても、同様に、アクセルレベルの範囲内であるか否かを判定すればよい。
【００２７】
このように、本実施形態のガスメータ１０では、登録された許可端末からしかアクセスができない。また、各許可端末について、アクセスレベルが特定されている。これにより、セキュリティを保ちつつ、ユーザによる使用量等のデータ入手が可能になるので、ユーザの利便性が高まる。
【００２８】
なお、アクセスレベルの設定は２段階に限るものではなく、３段階以上としてもよい。また、アクセスレベルの設定は、各許可端末の初期登録の際に、行うようにすればよい。あるいは、例えば、特定のパスワードを送信する移動体端末については、高いアクセスレベルを設定する、というようにしてもかまわない。
【００２９】
＜移動体端末の機種変更＞
ユーザが、移動体端末３０の機種変更を行う場合には、現移動体端末から新移動体端末（以下、単に新端末とする）への登録変更が必要である。この登録変更では、ガスメータ１０に登録されている許可端末を機種変更後の新端末に変更し、サーバ５０に登録されているガスメータ１０と移動体端末３０との組み合わせをガスメータ１０と新端末との組み合わせに変更し、新端末にガスメータ１０の固有情報を記憶させる。ここでは、新端末は図１の移動体端末３０と同様の構成を有するものとする。また、移動体端末３０に登録されているメータは、ガスメータ１０の１個のみであるものとする。
【００３０】
（動作例１）
図３は移動体端末の機種変更時における登録変更の動作例１を示すフローチャートである。図３に示すように、まず、機種変更後の新端末が、サーバ５０に対して登録変更要求を送信する（Ｓ２１）。この登録変更要求には、新端末の固有情報が含まれている。登録変更要求を受けたサーバ５０は、新端末について認証処理を行い、登録変更を許可するか否かを判断する（Ｓ２２，２３）。ここでの認証処理は、例えば、新端末のユーザ情報を利用して行われる。そして、登録変更を許可すると判断したとき、サーバ５０は、新端末に変更許可情報Ａ（第１変更許可情報）を送信する（Ｓ２４）。この変更許可情報Ａは、現在登録されているガスメータ１０および移動体端末３０の固有情報を含む。
【００３１】
新端末は、変更許可情報Ａを受信すると（Ｓ２５）、ガスメータ１０に、変更許可情報Ｂ（第２変更許可情報）を送信する（Ｓ２６）。この変更許可情報Ｂには、変更許可情報Ａに新端末の固有情報が付加されている。ガスメータ１０は、受信した変更許可情報Ｂから、変更を受け付けるか否かを判断する（Ｓ２７，Ｓ２８）。ここでの判断は、変更許可情報Ｂに含まれた移動体端末３０の固有情報が、登録部１１に登録された許可端末に一致するか否かによって行われる。変更を受け付けないときは、新端末に登録変更不許可の旨を送信する。
【００３２】
一方、変更を受け付けるときは、ガスメータ１０は、登録している許可端末を移動体端末３０から新端末に変更し（Ｓ２９）、新端末に登録変更完了を送信する（Ｓ２Ａ）。新端末は、ガスメータ１０から登録変更完了を受信すると（Ｓ２Ｂ）、ガスメータ１０の固有情報を登録部３１に登録する（Ｓ２Ｃ）。そして、サーバ５０に、登録変更完了を送信する（Ｓ２Ｄ）。登録変更完了を受信したサーバ５０は、登録されていたガスメータ１０と移動体端末３０との組み合わせを、ガスメータ１０と新端末との組み合わせに変更する（Ｓ２Ｅ）。
【００３３】
以上のような動作によって、移動体端末３０の機種変更を行う場合に、セキュリティを損なうことなく、かつ、簡易に、登録変更を実行することが可能となる。
【００３４】
図４は図３の動作例１の変形例を示すフローチャートである。図４のフローでは、処理の途中でエラーが発生する可能性を考慮して、ガスメータ１０における許可端末の変更（Ｓ２９）と、新端末におけるガスメータ１０の登録（Ｓ２Ｃ）とを、サーバ５０の指示（Ｓ２Ｆ）を受けた後に実行するようにしている。
【００３５】
ステップＳ２１〜Ｓ２８は図３と同様である。ガスメータ１０は、変更を受け付けるときは、新端末に登録変更ＯＫの旨を送信する（Ｓ２Ａ’）。新端末は、ガスメータ１０から登録変更ＯＫを受信すると（Ｓ２Ｂ’）、サーバ５０に、登録変更ＯＫの旨を送信する（Ｓ２Ｄ’）。登録変更ＯＫを受信したサーバ５０は、登録されていたガスメータ１０と移動体端末３０との組み合わせを、ガスメータ１０と新端末との組み合わせに変更する（Ｓ２Ｅ）。そして、新端末とガスメータ１０に登録変更の指示をそれぞれ行う（Ｓ２Ｆ）。サーバ５０からの登録変更指示を受けて、ガスメータ１０は登録されている許可端末を移動体端末３０から新端末に変更し（Ｓ２９）、新端末はガスメータ１０の固有情報を登録部３１に登録する（Ｓ２Ｃ）。
【００３６】
なお、図３および図４のフローにおいて、サーバ５０は、変更許可情報Ａを送信した（Ｓ２４）後に、登録されていたガスメータ１０と移動体端末３０との組み合わせを、ガスメータ１０と新端末との組み合わせに変更（Ｓ２Ｅ）してもかまわない。
【００３７】
（動作例２）
図５は移動体端末の機種変更時における登録変更の動作例２を示すフローチャートである。この動作例２では、新端末とガスメータ１０との間の通信が不要になっている。
【００３８】
図５に示すように、まず、機種変更後の新端末が、サーバ５０に対して登録変更要求を送信する（Ｓ３１）。この登録変更要求には、新端末の固有情報が含まれている。登録変更要求を受けたサーバ５０は、新端末について認証処理を行い、登録変更を許可するか否かを判断する（Ｓ３２，３３）。ここでの認証処理は、例えば、新端末のユーザ情報を利用して行われる。そして、登録変更を許可すると判断したとき、サーバ５０は、新端末に変更許可情報Ａ（第１変更許可情報）を送信する（Ｓ３４）。この変更許可情報Ａは、現在登録されているガスメータ１０の固有情報を含む。また、サーバ５０は、ガスメータ１０に変更許可情報Ｂ（第２変更許可情報）を送信する（Ｓ３５）。この変更許可情報Ｂは、現在登録されている移動体端末３０および新端末の固有情報を含む。
【００３９】
新端末は、変更許可情報Ａを受信すると（Ｓ３６）、ガスメータ１０の固有情報を登録部３１に登録する（Ｓ３７）。そして、サーバ５０に、登録変更完了を送信する（Ｓ３８）。また、ガスメータ１０は、変更許可情報Ｂを受信すると（Ｓ３９）、登録している許可端末を移動体端末３０から新端末に変更し（Ｓ３Ａ）、サーバ５０に登録変更完了を送信する（Ｓ３Ｂ）。サーバ５０は、新端末およびガスメータ１０から登録変更完了を受信すると、登録されていたガスメータ１０と移動体端末３０との組み合わせを、ガスメータ１０と新端末との組み合わせに変更する（Ｓ３Ｃ）。
【００４０】
以上のような動作によって、移動体端末３０の機種変更を行う場合に、セキュリティを損なうことなく、かつ、簡易に、登録変更を実行することが可能となる。また、この動作例２では、新端末とガスメータ１０との間の通信が不要なので、ユーザがガスメータ１０の近くにいなくても、登録変更が実行可能である。
【００４１】
なお、図３の動作と同様に、ガスメータ１０が、変更許可情報Ｂを受信したときに、登録変更を受け付けるか否かを判断するようにしてもよい。
【００４２】
図６は図５の動作例２の変形例を示すフローチャートである。図６では、新端末およびガスメータ１０からサーバへの登録変更完了の送信（Ｓ３８，Ｓ３Ｂ）を省いており、サーバ５０は、変更許可情報Ａ，Ｂを送信した後に、登録されていたガスメータ１０と移動体端末３０との組み合わせを、ガスメータ１０と新端末との組み合わせに変更する（Ｓ３Ｃ）。これにより、図５と比べて処理が簡便になっている。ただし、処理の途中でのエラー発生を考慮した場合には、図５の方が好ましいといえる。
【００４３】
（動作例３）
図７は移動体端末の機種変更時における登録変更の動作例３を示すフローチャートである。この動作例３では、新端末とサーバ５０との通信が不要になっている。
【００４４】
図７に示すように、まず、機種変更後の新端末が、ガスメータ１０に対して登録変更要求Ａ（第１登録変更要求）を送信する（Ｓ４１）。この登録変更要求Ａには、新端末の固有情報が含まれている。登録変更要求Ａを受けたガスメータ１０は、サーバ５０に対して登録変更要求Ｂ（第２登録変更要求）を送信する（Ｓ４２）。この登録変更要求Ｂは、ガスメータ１０および新端末の固有情報が含まれている。
【００４５】
登録変更要求Ｂを受けたサーバ５０は、新端末について認証処理を行い、登録変更を許可するか否かを判断する（Ｓ４３，Ｓ４４）。ここでの認証処理は、例えば、新端末およびガスメータ１０のユーザ情報を利用して行われる。そして、登録変更を許可すると判断したとき、サーバ５０は、ガスメータ１０に変更許可情報Ａを送信する（Ｓ４５）。この変更許可情報Ａは、現在登録されている移動体端末３０の固有情報を含む。そして、サーバ５０は、登録されていたガスメータ１０と移動体端末３０との組み合わせを、ガスメータ１０と新端末との組み合わせに変更する（Ｓ４６）。
【００４６】
ガスメータ１０は、変更許可情報Ａを受信すると（Ｓ４７）、新端末に、変更許可情報Ｂを送信する（Ｓ４８）。この変更許可情報Ｂには、ガスメータ１０の固有情報が含まれている。そしてガスメータ１０は、登録している許可端末を移動体端末３０から新端末に変更する（Ｓ４９）。
【００４７】
新端末は、ガスメータ１０から変更許可情報Ｂを受信すると（Ｓ４Ａ）、ガスメータ１０の固有情報を登録部３１に登録する（Ｓ４Ｂ）。
【００４８】
以上のような動作によって、移動体端末３０の機種変更を行う場合に、セキュリティを損なうことなく、かつ、簡易に、登録変更を実行することが可能となる。また、この動作例３では、新端末とサーバ５０との間の通信が不要なので、ユーザが電波の届かない所にいる場合であっても、登録変更が実行可能である。
【００４９】
なお、図３の動作と同様に、ガスメータ１０が、変更許可情報Ａを受信したときに、登録変更を受け付けるか否かを判断するようにしてもよい。
【００５０】
図８は図７の動作例３の変形例を示すフローチャートである。図８のフローでは、処理の途中でエラーが発生する可能性を考慮して、ガスメータ１０における許可端末の変更（Ｓ４９）を、新端末から登録変更完了を送信された（Ｓ４Ｃ）後に実行し、サーバ５０における登録変更（Ｓ４６）を、ガスメータ１０から登録変更完了を送信された（Ｓ４Ｄ）後に実行するようにしている。
【００５１】
ステップＳ４１〜Ｓ４５，Ｓ４７〜Ｓ４８，Ｓ４Ａ〜Ｓ４Ｂは図７と同様である。サーバ５０は、ガスメータ１０に変更許可情報Ａを送信したときには新端末の登録を行わない。またガスメータ１０は、新端末に変更許可情報Ｂを送信したときには新端末の登録を行わない。新端末は、ガスメータ１０の固有情報を記憶する（Ｓ４Ｂ）と、ガスメータ１０に登録変更完了を送信する（Ｓ４Ｃ）。ガスメータ１０は、新端末から登録変更完了を受信した後に、登録されている許可端末を移動体端末３０から新端末に変更し（Ｓ４９）、サーバ５０に登録変更完了を送信する（Ｓ４Ｄ）。登録変更完了を受信したサーバ５０は、登録されていたガスメータ１０と移動体端末３０との組み合わせを、ガスメータ１０と新端末との組み合わせに変更する（Ｓ４６）。
【００５２】
なお、上述の説明では、移動体端末３０には１個のガスメータ１０のみが登録されているものとしたが、移動体端末３０に複数のメータが登録されている場合には、次のように動作すればよい。
【００５３】
例えば図３の動作例１では、新端末を認証したサーバ５０が、ステップＳ２４において、登録されている複数のメータの固有情報を含めた変更許可情報Ａを、新端末に送信する。新端末では、例えば、複数のメータのリストを画面に表示し、ユーザがリストの中から登録変更を求めるメータを選択するようにすればよい。メータを選択した後の処理は、図３と同様である。ただし、新端末は、サーバ５０に登録変更完了を送信する際に、ユーザが選択したメータを知らせるものとする。あるいは、新端末が、複数のメータそれぞれに対して、変更許可情報Ｂを送信するようにしてもよい。これにより、移動体端末３０に登録されていた全てのメータについて、一斉に登録変更することができる。
【００５４】
また、図５の動作例２では、新端末を認証したサーバ５０が、ステップＳ３４において、登録されている複数のメータの固有情報を含めた変更許可情報Ａを新端末に送信するとともに、ステップＳ３５において、登録されていた複数のメータのそれぞれに対して、変更許可情報Ｂを送信すればよい。この場合、各メータにパラレルに変更許可情報Ｂを送信してもよいし、メータ同士がネットワークを構成しており互いに通信可能である場合には、サーバ５０は１個のメータに変更許可情報Ｂを送信し、変更許可情報Ｂをメータ間で伝搬させるようにしてもよい。以降の処理は、図５と同様である。
【００５５】
また、図７の動作例では、新端末から、複数のメータそれぞれに登録変更要求を行えばよい。
【００５６】
＜メータの交換＞
メータを交換する場合にも、現メータから新メータへの登録変更が必要である。この登録変更では、移動体端末３０に登録されているガスメータ１０を交換後の新メータに変更し、サーバ５０に登録されているガスメータ１０と移動体端末３０との組み合わせを新メータと移動体端末３０との組み合わせに変更し、新メータに移動体端末３０の固有情報を記憶させる。ここでは、新メータは、図１のガスメータ１０と同様の構成を有するものとする。
【００５７】
（動作例１）
図９はメータ交換時における登録変更の動作例１を示すフローチャートである。図９に示すように、まず、移動体端末３０が、サーバ５０に対して登録変更要求を送信する（Ｓ５１）。この登録変更要求には、移動体端末３０の固有情報が含まれている。登録変更要求を受けたサーバ５０は、移動体端末３０について認証処理を行い、新メータへの登録変更を許可するか否かを判断する（Ｓ５２，５３）。この認証処理では、移動体端末３０のユーザについて、メータの交換が行われていることが確認される。そして、登録変更を許可すると判断したとき、サーバ５０は、移動体端末３０に変更許可情報Ａ（第１変更許可情報）を送信する（Ｓ５４）。この変更許可情報Ａは、現在登録されているガスメータ１０および新メータの固有情報を含む。
【００５８】
移動体端末３０は、変更許可情報Ａを受信すると（Ｓ５５）、新メータに、変更許可情報Ｂ（第２変更許可情報）を送信する（Ｓ５６）。この変更許可情報Ｂには、新メータおよび移動体端末３０の固有情報が含まれている。新メータは、変更許可情報Ｂを受信すると（Ｓ５７）、許可端末として移動体端末３０の固有情報を登録し（Ｓ５８）、移動体端末３０に登録変更完了を送信する（Ｓ５９）。移動体端末３０は、新メータから登録変更完了を受信すると（Ｓ５Ａ）、登録部３１に登録されていたガスメータ１０の固有情報を、新メータの固有情報に変更する（Ｓ５Ｂ）。そして、サーバ５０に、登録変更完了を送信する（Ｓ５Ｃ）。登録変更完了を受信したサーバ５０は、登録されていたガスメータ１０と移動体端末３０との組み合わせを、新メータと移動体端末３０との組み合わせに変更する（Ｓ５Ｄ）。
【００５９】
以上のような動作によって、ガスメータ１０の交換を行う場合に、セキュリティを損なうことなく、かつ、簡易に、登録変更を実行することが可能となる。
【００６０】
図１０は図９の動作例１の変形例を示すフローチャートである。図１０のフローでは、処理の途中でエラーが発生する可能性を考慮して、新メータにおける許可端末の登録（Ｓ５８）と、移動体端末３０におけるガスメータ１０から新メータへの登録変更（Ｓ５Ｂ）とを、サーバ５０からの登録変更指示（Ｓ５Ｅ）を受けた後に実行するようにしている。
【００６１】
ステップＳ５１〜Ｓ５７は図９と同様である。新メータは、変更許可情報Ｂを受信すると、移動体端末３０に登録変更ＯＫの旨を送信する（Ｓ５９’）。移動体端末３０は、新メータから登録変更ＯＫを受信すると（Ｓ５Ａ’）、サーバ５０に、登録変更ＯＫの旨を送信する（Ｓ５Ｃ’）。登録変更ＯＫを受信したサーバ５０は、登録されていたガスメータ１０と移動体端末３０との組み合わせを、新メータと移動体端末３０との組み合わせに変更する（Ｓ５Ｄ）。そして、移動体端末３０と新メータに登録変更の指示をそれぞれ行う（Ｓ５Ｅ）。このサーバ５０からの指示を受けて、新メータは許可端末として移動体端末３０を登録し（Ｓ５８）、移動体端末３０は、ガスメータ１０の固有情報に代えて、新メータの固有情報を登録部３１に登録する（Ｓ５Ｂ）。
【００６２】
なお、図９および図１０のフローにおいて、サーバ５０は、変更許可情報Ａを送信した（Ｓ５４）後に、登録されていたガスメータ１０と移動体端末３０との組み合わせを、新メータと移動体端末３０との組み合わせに変更（Ｓ５Ｄ）してもかまわない。
【００６３】
（動作例２）
図１１はメータ交換時における登録変更の動作例２を示すフローチャートである。この動作例２では、移動体端末３０と新メータとの間の通信が不要になっている。
【００６４】
図１１に示すように、まず、移動体端末３０が、サーバ５０に対して登録変更要求を送信する（Ｓ６１）。この登録変更要求には、移動体端末３０の固有情報が含まれている。登録変更要求を受けたサーバ５０は、移動体端末３０について認証処理を行い、新メータへの登録変更を許可するか否かを判断する（Ｓ６２，６３）。この認証処理では、移動体端末３０のユーザについて、メータの交換が行われていることが確認される。そして、登録変更を許可すると判断したとき、サーバ５０は、移動体端末３０に変更許可情報Ａ（第１変更許可情報）を送信する（Ｓ６４）。この変更許可情報Ａは、現在登録されているガスメータ１０および新メータの固有情報を含む。また、サーバ５０は、新メータに変更許可情報Ｂ（第２変更許可情報）を送信する（Ｓ６５）。この変更許可情報Ｂは、移動体端末３０の固有情報を含む。
【００６５】
移動体端末３０は、変更許可情報Ａを受信すると（Ｓ６６）、登録部３１に登録されていたガスメータ１０の固有情報を、新メータの固有情報に変更する（Ｓ６７）。そして、サーバ５０に、登録変更完了を送信する（Ｓ６８）。また、新メータは、変更許可情報Ｂを受信すると（Ｓ６９）、許可端末として、移動体端末３０の固有情報を登録し（Ｓ６Ａ）、サーバ５０に登録変更完了を送信する（Ｓ６Ｂ）。移動体端末３０および新メータから登録変更完了を受信したサーバ５０は、登録されていたガスメータ１０と移動体端末３０との組み合わせを、新メータと移動体端末３０との組み合わせに変更する（Ｓ６Ｃ）。
【００６６】
以上のような動作によって、ガスメータ１０の交換を行う場合に、セキュリティを損なうことなく、かつ、簡易に、登録変更を実行することが可能となる。また、この動作例２では、移動体端末３０と新メータとの間の通信が不要なので、ユーザが新メータの近くにいなくても、登録変更が実行可能である。
【００６７】
なお、図１１の動作例において、移動体端末３０および新メータからサーバへの登録変更完了の送信（Ｓ６８，Ｓ６Ｂ）を省いてもよい。この場合、サーバ５０は、変更許可情報Ａ，Ｂを送信した後に、登録されていたガスメータ１０と移動体端末３０との組み合わせを、新メータと移動体端末３０との組み合わせに変更する（Ｓ６Ｃ）。これにより、図１１と比べて処理が簡便になる。ただし、処理の途中でのエラー発生を考慮した場合には、図１１の方が好ましいといえる。
【００６８】
（動作例３）
図１２はメータ交換時における登録変更の動作例３を示すフローチャートである。この動作例３では、移動体端末３０とサーバ５０との通信が不要になっている。
【００６９】
図１２に示すように、まず、移動体端末３０が、新メータに対して登録変更要求Ａを送信する（Ｓ７１）。この登録変更要求Ａには、移動体端末３０の固有情報が含まれている。登録変更要求Ａを受信した新メータは、サーバ５０に対して登録変更要求Ｂを送信する（Ｓ７２）。この登録変更要求Ｂには、新メータおよび移動体端末３０の固有情報が含まれている。
【００７０】
登録変更要求Ｂを受けたサーバ５０は、移動体端末３０について認証処理を行い、新メータへの登録変更を許可するか否かを判断する（Ｓ７３，Ｓ７４）。この認証処理では、移動体端末３０のユーザについて、メータの交換が行われていることが確認される。そして、登録変更を許可すると判断したとき、サーバ５０は、新メータに変更許可情報Ａを送信する（Ｓ７５）。この変更許可情報Ａは、現在登録されているガスメータ１０および移動体端末３０の固有情報を含む。そしてサーバ５０は、登録されていたガスメータ１０と移動体端末３０との組み合わせを、新メータと移動体端末３０との組み合わせに変更する（Ｓ７６）。
【００７１】
新メータは、変更許可情報Ａを受信すると（Ｓ７７）、移動体端末３０に変更許可情報Ｂを送信する（Ｓ７８）。この変更許可情報Ｂには、ガスメータ１０および新メータの固有情報が含まれている。そして、許可端末として、移動体端末３０の固有情報を登録する（Ｓ７９）。移動体端末３０は、新メータから変更許可情報Ｂを受信すると（Ｓ７Ａ）、登録部３１に登録されていたガスメータ１０の固有情報を、新メータの固有情報に変更する（Ｓ７Ｂ）。
【００７２】
以上のような動作によって、ガスメータ１０の交換を行う場合に、セキュリティを損なうことなく、かつ、簡易に、登録変更を実行することが可能となる。また、この動作例３では、移動体端末３０とサーバ５０との間の通信が不要なので、ユーザが電波の届かない所にいる場合であっても、登録変更が実行可能である。
【００７３】
なお、図１２の動作例において、図８の動作例と同様に、移動体端末３０が、登録変更後に新メータに登録変更完了の送信を行い、移動体端末３０から登録変更完了を受信した新メータが、移動体端末３０の固有情報を登録し、サーバ５０に登録変更完了の送信を行うようにしてもよい。この場合、サーバ５０は、新メータから登録変更完了を受信した後に、登録されていたガスメータ１０と移動体端末３０との組み合わせを、新メータと移動体端末３０との組み合わせに変更する（Ｓ７６）。これにより、図１２と比べて処理が多少煩雑になるが、処理の途中でのエラー発生を考慮した場合には好ましいといえる。
【００７４】
《その他の実施形態》
上述の説明では、メータの一例として、ガスの使用量を計るガスメータ１０を例にとって説明したが、これに限られるものではない。例えば、電気の使用量を計る電力量メータや、水の使用量を計る水道メータ、または、熱の使用量を計る熱メータ等であってもよい。すなわち、いわゆるユーティリティの使用量を計るメータであれば、上述の実施形態は同様に適用可能である。
【００７５】
また、図１におけるガスメータ１０および移動体端末３０の内部構成は、あくまでも一例であり、図１で示したものに限られるものではない。例えば、ガスメータ１０における外部通信部１２および無線通信部１４は共通であってもよいし、移動体端末３０における外部通信部３２および無線通信部３４は共通であってもよい。また、ガスメータ１０において、情報判定部１３や演算処理部１５の機能を制御部２０によって実現してもよいし、移動体端末３０において、情報判定部３３の機能を制御部３７によって実現してもよい。また、ガスメータ１０において、遮断部１８はなくてもかまわない。
【産業上の利用可能性】
【００７６】
本発明は、ユーザの利便性の高いメータシステムの構築に有用である。
【符号の説明】
【００７７】
１０  ガスメータ（メータ）
１１  登録部
１２  外部通信部
１３  情報判定部
１４  無線通信部
３０  移動体端末
３１  登録部
３２  外部通信部
３３  情報判定部
３４  無線通信部
５０  サーバ
【図１】
2014078902.tif 000003
【図２】
2014078902.tif 000004
【図３】
2014078902.tif 000005
【図４】
2014078902.tif 000006
【図５】
2014078902.tif 000007
【図６】
2014078902.tif 000008
【図７】
2014078902.tif 000009
【図８】
2014078902.tif 000010
【図９】
2014078902.tif 000011
【図１０】
2014078902.tif 000012
【図１１】
2014078902.tif 000013
【図１２】
2014078902.tif 000014